(57)【特許請求の範囲】
【請求項１】
一端側に枢着連結部を有する駆動機吊上げ用の横向き材と、
この横向き材の他端側に設けられた下方突出部と、
下方突出部に連結され、該下方突出部を吊り上げて横向き材の他端側を前記枢着連結部を中心に上方に回転変位させ駆動機を吊り上げる吊上げ手段と、
前記横向き材に、その一端側と他端側との間で移動できるように備えられると共に、駆動機が吊り状態に取り付けられる駆動機取付け治具と
が備えられ、
前記横向き材の一端側が昇降路天井面の近傍の高さ位置で枢着されると共に、駆動機が横向き材の前記一端側と他端側との間の中間部において駆動機取付け治具により吊られ、かつ、横向き材が前記一端側から他端側に向けて斜め下方に向けられた状態において、前記横向き材の他端側の下方突出部を吊り上げ、横向き材の他端側を前記枢着部を中心に上方に回転変位させることで、前記駆動機を昇降路天井面の近傍の高さ位置に吊り上げ、その状態で、該駆動機を、横向き材に沿う駆動機取付け治具の移動によって、枢着部の側である設置位置としてのマシンビームの側に移動させていくことができるようになされていることを特徴とするエレベーター昇降路天井面近傍高さ位置への駆動機の吊上げ装置。
【請求項２】
マシンビームに立設され、横向き材の一端側が枢着されるスタンドが備えられている請求項１に記載のエレベーター昇降路天井面近傍高さ位置への駆動機の吊上げ装置。
【請求項３】
請求項１又は２に記載の吊上げ装置を用い、横向き材の一端側が昇降路天井面の近傍の高さ位置で枢着されると共に、駆動機が横向き材の前記一端側と他端側との間の中間部において駆動機取付け治具により吊られ、かつ、横向き材が前記一端側から他端側に向けて斜め下方に向けられた状態において、前記横向き材の他端側の下方突出部を吊り上げ、横向き材の他端側を前記枢着部を中心に上方に回転変位させることで、前記駆動機を昇降路天井面の近傍の高さ位置に吊り上げ、その状態で、該駆動機を、横向き材に沿う駆動機取付け治具の移動によって、枢着部の側である設置位置としてのマシンビームの側に移動させていくことを特徴とするエレベーター昇降路天井面近傍高さ位置への駆動機の吊上げ方法。
【発明の詳細な説明】
【０００１】
【発明の属する技術分野】
本発明は、エレベーター昇降路天井面近傍高さ位置への駆動機の吊上げ方法及び装置等に関する。
【０００２】
【従来の技術】
巻上げ機などを含む駆動機をエレベーター昇降路の天井面近傍高さ位置に設置する式のエレベーターでは、駆動機の設置は、図３に示すように、チェーンブロック５１を用い、これを昇降路５２の天井面５３に取り付け、駆動機５４をこのチェーンブロック５１に吊って天井面５３の近傍高さ位置へと吊り上げていくというようにして行われている。
【０００３】
【発明が解決しようとする課題】
しかしながら、上記のような吊上げ方法では、チェーンブロック５１それ自体が、天井面５３への取付け状態において、天井面５３から下方に例えば４００ｍｍ程度の寸法範囲を占有するため、駆動機５４の上端高さ位置をそれ以上高い高さ位置に吊り上げることができず、そのため、天井面５３の高さ位置と駆動機５４の上端高さ位置との間隔寸法を例えば２３０ｍｍ程度の短い寸法としなければならないような場合には、駆動機の設置ができないという問題があった。
【０００４】
本発明は、上記のような従来の問題点に鑑み、駆動機を昇降路天井面高さ位置に非常に近い高さ位置へと難なく吊り上げることができるエレベーター昇降路天井面近傍高さ位置への駆動機の吊上げ方法及び装置を提供することを課題とする。
【０００５】
【課題を解決するための手段】
上記の課題は、昇降路天井面の近傍の高さ位置で一端側を枢着した吊り用の横向き材に駆動機を吊り、この横向き材の他端側に設けられた下方突出部を吊り上げて横向き材の他端側を前記枢着部を中心に上方に回転変位させることで、駆動機を吊り上げることを特徴とするエレベーター昇降路天井面近傍高さ位置への駆動機の吊上げ方法によって解決される。
【０００６】
この吊上げ方法では、一端側を枢着した横向き材の他端側に設けられている下方突出部を吊り上げるようにしているので、横向き材を昇降路天井面高さ位置に非常に近い位置にもっていくことができ、それによって、この横向き材に吊った駆動機を昇降路天井面高さ位置に非常に近い位置へと吊り上げることができる。
【０００７】
しかも、横向き材はその一端側を枢着し他端側を上方に回転変位させることで吊り上げる方式としているから、駆動機を簡素な機構でかつ安全にしかも施工容易に吊り上げることができる。
【０００８】
また、上記の課題は、一端側に枢着連結部を有する駆動機吊上げ用の横向き材と、
この横向き材の他端側に設けられた下方突出部と、
下方突出部に連結され、該下方突出部を吊り上げて横向き材の他端側を前記枢着連結部を中心に上方に回転変位させ駆動機を吊り上げる吊上げ手段と
が備えられていることを特徴とするエレベーター昇降路天井面近傍高さ位置への駆動機の吊上げ装置を用いて吊上げを行うことで、同様に解決される。
【０００９】
この吊上げ装置において、マシンビームに立設され、横向き材の一端側が枢着されるスタンドが備えられている場合は、スタンドの高さ寸法を設定することで、横向き材の枢着高さ位置を昇降路天井面ないしはその近傍位置に位置させることができ、駆動機を昇降路天井面高さ位置に非常に近い位置へと吊り上げることができる。しかも、スタンドの使用により、強度的にしっかりと設置されたマシンビームを吊上げ装置のベースとすることができ、駆動機の荷重をマシンビームに支えさせて、駆動機を安全に吊り上げることができる。
【００１０】
なお、上記の課題は、基本的には、
一端側を枢着した吊り用の横向き材に荷を吊り、この横向き材の他端側に設けられた下方突出部を吊り上げて横向き材の他端側を前記枢着部を中心に上方に回転変位させることで荷を吊り上げることを特徴とする荷の吊上げ方法、並びに、
一端側に枢着連結部を有する荷吊上げ用の横向き材と、
この横向き材の他端側に設けられた下方突出部と、
下方突出部に連結され、該下方突出部を吊り上げて横向き材の他端側を前記枢着連結部を中心に上方に回転変位させ荷を吊り上げる吊上げ手段と
が備えられていることを特徴とする荷の吊上げ装置
によって解決される。
【００１１】
【発明の実施の形態】
次に、本発明の実施形態を図面に基づいて説明する。図１及び図２に示す実施形態の吊上げ装置１において、２は吊上げ治具、３は吊上げ手段としてのチェーンブロックである。
【００１２】
吊上げ治具２は、スタンド４，４と、横向き材としてのラック５，５と、下方突出部６とで構成されている。
【００１３】
スタンド４は、鋼材などからなっていて、２本、対で、互いに間隔をおき、それらの下端に備えられた継ぎ手７，７をマシンビーム８にボルトなどで固定してマシンビーム８上に立設される。また、各スタンド４，４の上端部には、ブラケット９，９が備えられており、これらのブラケット９，９の図２波線丸印部分を、マシンビーム８の上方へと延ばされている図示しないかご用ガイドレールのトップのブラケットにシャコ万などで固定できるようになっている。スタンド４の高さ寸法は、駆動機１０の吊上げ予定高さ位置を考慮して決めればよい。スタンド４の上端高さ位置をエレベーター昇降路１１の天井面１２の高さ位置に近い位置にすることで、駆動機１０を同天井面１２に非常に近い高さ位置に設置することができるようになる。
【００１４】
ラック５は、スタンド４，４と同じく、鋼材などからなっており、２本、対で、間隔をおいて平行に備えられ、それらの一端側がスタンド４，４の上端に枢着１３，１３され、これら枢着部１３，１３を中心に各ラック５，５の他端側が上下に回転変位することができるようになっている。
【００１５】
そして、これらラック５，５の他端側に下方突出部６が備えられている。下方突出部６は、各ラック５，５の他端に上端を剛に連結した鋼材などからなる対の垂下材６ａ，６ａと、これら垂下材６ａ，６ａの下端同士をつなぐ、鋼材などからなる水平つなぎ材６ｂとで構成されており、つなぎ材６ｂの長さ方向の中央部には、チェーンブロック３からのチェーン３ａを掛けるアイボルトなどによるチェーン掛止部１４が備えられている。なお、１６，１５は斜材であり、ラック５，５と垂下材６ａ，６ａとの連結部を補強し、下方突出部６それ自体を補強している。
【００１６】
吊上げ手段としてのチェーンブロック３は、エレベーター昇降路１１の天井面１２に取り付けられる。
【００１７】
駆動機１０の設置は、上記の吊上げ装置１を用い、次のようにして行うことができる。即ち、前準備として、図１（イ）に示すように、スタンド４，４をマシンビーム８に立設すると共にスタンド４，４の上端部をトップのレールブラケットに固定し、左右のラック５，５を、駆動機１０に取り付けられている駆動機取付け治具１７の左右の孔１８，１８に通して駆動機１０をラック５，５の長さ方向の中間部に吊り、ラック５の一端をスタンド４，４の上端部に枢着し、天井面１２に取り付けたチェーンブロック３からのチェーン３ａを下方突出部６のつなぎ材６ｂの掛止部１４に掛止し、チェーンブロック３の引張り側のチェーン３ｂをエレベーターの最上部の図示しない出入口を通じて外に導出した状態にする。なお、これらの前準備は、エレベーターの最上部の出入口などを通じて行えばよい。
【００１８】
しかる後、図１（イ）（ロ）に示すように、チェーンブロック３のチェーン３ｂを引っ張って、下方突出部６のつなぎ材６ｂ、垂下材６ａ，６ａを吊り上げていき、それによってラック５，５を端部枢着部１３，１３を中心に上方に回転変位させ、駆動機１０を昇降路１１の天井面１２側へと吊り上げていく。チェーンブロック３で吊り上げるのはラック５，５ではなく、下方突出部６であるから、チェーンブロック３の高さ寸法がある程度大きい、例えば４００ｍｍないしはそれを越えるような場合であっても、チェーンブロック３の高さ寸法に関係なく、ラック５，５を昇降路１１の天井面１２の近傍位置まで上昇させることができて、駆動機１０を昇降路１１の天井面１２の高さ位置に非常に近い高さ位置へと吊り上げることができる。
【００１９】
その後は、駆動機１０をラック５，５に沿って所定の設置位置へと移動させ、駆動機１０を所定の高さ位置に設置する。
【００２０】
因みに、本発明の吊上げ方法によれば、天井面１２の高さ位置と駆動機１０の上端高さ位置との間隔寸法を例えば２２９ｍｍの非常に短い寸法にして設置することができ、これにより、天井面１２の高さ位置と駆動機１０の上端高さ位置との間隔寸法を２３０ｍｍ程度にすることができなければ設置できないような式のエレベーターであっても設置を可能にすることができる。
【００２１】
以上に、本発明の実施形態を示したが、本発明はこれに限られるものではなく、発明思想を逸脱しない範囲で各種の変更が可能である。例えば、上記の実施形態では、スタンド４，４を用いた場合を示しているが、スタンドを省略し、横向き材５の一端を、例えば、マシンビームの上方に延ばされるかご用ガイドレールの上端部やその他の部位に枢着して吊り上げるようにしてもよい。また、スタンドを用いる場合に、横向き材本体部の一端にスタンド部を剛に連結した構成の横向き材を用い、この横向き材の一端側、即ち、スタンド部の下端側をマシンビームなどに枢着し、横向き材のスタンド部の下端側を中心に横向き材本体部を上方に回転変位させて駆動機の吊上げを行うようにしてもよい。また、上記の実施形態では、下方突出部の下端位置にチェーンブロックからのチェーンを連結するようにしているが、チェーンを下方突出部の中間高さ位置に連結するようにしてもよい。更に、横向き材や下方突出部、スタンドとして、各種形態のものが用いられてよいし、吊上げ手段はチェーンブロック以外のものであってもよい。また、本発明は、エレベーターの駆動機を昇降路天井面近くに設置する場合の駆動機の吊上げ方法ないしは装置として効果的に用いることができるものであるが、これに限らず、天井面近くに各種荷を吊り上げる場合の方法、装置として効果的に用いることができるものであることはいうまでもない。
【００２２】
【発明の効果】
本発明は、以上のとおりのものであるから、駆動機をエレベーター昇降路天井面高さ位置に非常に近い高さ位置へと難なく吊り上げることができ、駆動機をエレベーター昇降路の天井面近傍高さ位置に設置する式のエレベーターの適用範囲を拡大することができる等の効果を発揮することができる。
【図面の簡単な説明】
【図１】実施形態の吊上げ方法を示すもので、図（イ）は吊上げ装置の設置状態を示す側面図、図（ロ）は吊り上げた状態を示す側面図である。
【図２】吊上げ治具の斜視図である。
【図３】従来の吊上げ方法を示す正面図である。
【符号の説明】
１…吊上げ装置
３…チェーンブロック（吊上げ手段）
４…スタンド
５…ラック（横向き材）
６…下方突出部
８…マシンビーム
１０…駆動機
１１…エレベーター昇降路
１２…天井面
１３…枢着部
【図１】
0004103322.tif 000002
【図２】
0004103322.tif 000003
【図３】
0004103322.tif 000004